(57)【特許請求の範囲】
【請求項１】
互いに対向する一方の面及び他方の面と、一端部と、前記一端部に対向する他端部と、を有し、前記一方の面が、該一方の面側に前記一端部側から前記他端部側に向かう方向に挿入される少なくとも１つの第１の指に接触し、前記他方の面が、該他方の面側に前記一端部側から前記他端部側に向かう方向に挿入される、前記第１の指と異なる、少なくとも１つの第２の指に接触して、前記第１の指と前記第２の指とに挟まれる隔壁と、
前記第１の指の爪にインクを塗布する印刷ヘッドを有する印刷部と、
を備え、
前記隔壁は、前記他方の面に突出部と窪み部とを有し、
前記突出部は、前記一端部側から前記他方の面の一部に設けられ、前記一方の面と前記他方の面との間の厚さが前記一端部から前記他端部側に向かって増加する方向に傾斜した傾斜面を有し、
前記窪み部は、前記突出部の前記他端部側に、前記突出部に接して設けられていることを特徴とするネイルプリンター。
【請求項２】
前記第１の指と前記第２の指とは、１つの手又は１つの足の複数の指の何れかであることを特徴とする請求項１に記載のネイルプリンター。
【請求項３】
前記窪み部は、前記突出部に接した領域において、前記一方の面側に窪んだ窪み面を有することを特徴とする請求項１又は２に記載のネイルプリンター。
【請求項４】
前記窪み部は、前記窪み面と前記他端部との間に、前記厚さが均等な平坦面を有し、
前記平坦面での前記隔壁の厚さは、前記突出部における前記厚さの最大値より小さいことを特徴とする請求項３に記載のネイルプリンター。
【請求項５】
前記窪み部の前記窪み面は、前記隔壁の前記他面側に前記第２の指が伸ばして挿入されているときの、前記第２の指の爪に対応する位置に設けられていることを特徴とする請求項３又は４に記載のネイルプリンター。
【請求項６】
前記隔壁の前記一方の面に設けられ、前記第１の指が前記一端部側から前記他端部側に向かう方向に挿入され、前端部側が開口されている指受入部を有することを特徴とする請求項１に記載のネイルプリンター。
【請求項７】
前記指受入部は、内部に、前記第１の指が挿入可能な空間を有し、前記隔壁の前記一端部側の面が開口した立方体状の形状を有し、
前記第１指受入部は、挿入される前記第１の指の爪の位置に対応する領域に、開口部により形成された窓部を有し、前記窓部を介して、挿入された前記第１の指の爪が露出されることを特徴とする請求項６に記載のネイルプリンター。
【請求項８】
前記指受入部の前記窓部の上部に設けられ、前記窓部から露出する前記第１の指の爪を撮影する撮影部を有することを特徴とする請求項７に記載のネイルプリンター。
【請求項９】
前記指受入部の、挿入される前記第１の指の先端側が設けられる奥側の内面が、前記第１の指の先端側の形状に対応した、曲面形状を有していることを特徴とする請求項６から８の何れか１項に記載のネイルプリンター。
【請求項１０】
前記第１の指は複数であり、
前記指受入部は、内部に、複数の前記第１の指を同時に挿入可能な空間を有していることを特徴とする請求項６から９の何れか１項に記載のネイルプリンター。
【請求項１１】
前記隔壁の前記一端部に連結され、前記一方の面に対して直立した、平面状の前壁部と、
前記前壁部と前記指受入部との間に設けられた指案内部と、
を有し、
前記指受入部は前記隔壁の前記一端部から前記他端部側にずれた位置に設けられ、
前記指案内部は、前記前壁部の表面から前記前壁部から前記指受入部に向かって、前記第１の指が挿入される向きに窪み、前記第１の指が挿入される向きに直交し、前記隔壁の前記一方の面に沿った方向の幅が次第に狭くなる形状に形成されていることを特徴とする請求項６から１０の何れか１項に記載のネイルプリンター。
【請求項１２】
前記隔壁の前記一方の面上の、前記指受入部が形成された領域を除く領域に設けられた、前記印刷部の保守を行うための印刷保守部を収容する収容部を備えることを特徴とする請求項６から１１の何れか一項に記載のネイルプリンター。
【請求項１３】
前記印刷保守部は、前記印刷ヘッドのクリーニングを行う機能と、前記印刷ヘッドを使用していないときに前記印刷ヘッドにキャップを被せて、前記印刷ヘッドの保湿状態を保つようにする機能とを有するヘッドクリーニング・キャップ機構と、前記印刷ヘッドから吐出された余分なインクを受けるインク廃棄部と、の何れかを有することを特徴とする請求項１２に記載のネイルプリンター。
【発明の詳細な説明】
【技術分野】
【０００１】
本発明は、ネイルプリンターに関する。
【背景技術】
【０００２】
ネイルプリンターとしては、装置前面に挿入口が形成され、その挿入口の奥に載置台が設置されたものがある（例えば、特許文献１参照）。ユーザーが一本の指を挿入口に挿入し、その指を載置台に載置すると、色、絵柄、模様等の画像がネイルプリンターによってその指の爪に印刷される。
【先行技術文献】
【特許文献】
【０００３】
【特許文献１】特開２０００−１９４８３８号公報
【発明の概要】
【発明が解決しようとする課題】
【０００４】
しかしながら、上記特許文献１のようなネイルプリンターにおいては、印刷中の爪の指以外の指を折り曲げることになるので（特許文献１の〔００３５〕参照）、既に印刷済みの爪に触れてしまい印刷画像を壊してしまう。また、手や指に必要以上の力が入ってしまい、過度の負担がかかってしまう。特に、印刷中の爪の指が薬指である場合、薬指を伸ばして、他の指を折り曲げておくことは難しい。そこで、印刷中の爪の指以外の指も伸ばしておくことが望まれるが、印刷中の爪の指以外の指の爪が挿入口の内面に当たることがあり、印刷中の爪の指以外の指の爪が既に印刷されていたとしたら、その爪の画像が乱れたりしてしまう。そのため、既に印刷された爪に付着したインクが乾燥してから、次の指の爪の印刷を行う必要があり、全ての指の爪の印刷作業に要する時間が長時間になってしまう。
【０００５】
そこで、本発明が解決しようとする課題は、印刷中の爪の指と印刷済みの爪の指を伸ばした状態としても、印刷済みの爪がその周囲の部材に当たらないようにすることである。
【課題を解決するための手段】
【０００６】
以上の課題を解決するために、本発明は、
互いに対向する一方の面及び他方の面と、一端部と、前記一端部に対向する他端部と、を有し、前記一方の面が、該一方の面側に前記隔壁の前記一端部側から前記他端部側に向かう方向に挿入される少なくとも１つの第１の指に接触し、前記他方の面が、該他方の面側に前記隔壁の前記一端部側から前記他端部側に向かう方向に挿入される、前記第１の指と異なる、少なくとも１つの第２の指に接触して、前記第１の指と前記第２の指とに挟まれる隔壁と、
前記第１の指の爪にインクを塗布する印刷ヘッドを有する印刷部と、
を備え、
前記隔壁は、前記他方の面に、突出部と窪み部とを有し、
前記突出部は、前記一端部側から前記他方の面の一部に設けられ、前記一方の面と前記他方の面との間の厚さが前記一端部から前記他端部側に向かって増加する方向に傾斜した傾斜面を有し、
前記窪み部は、前記突出部の前記他端部側に、前記突出部に接して設けられていることを特徴とするネイルプリンターである。
【発明の効果】
【０００７】
本発明によれば、指退避部に受け入れられた指を伸ばしても、その指の爪が窪みに至るので、その爪が隔壁裏に当たらない。そのため、その爪に印刷された画像が乱れないとともに、その爪に付着したインクが他に付着しない。
【図面の簡単な説明】
【０００８】
【図１】本発明の実施形態に係るネイルプリンターの斜視図である。
【図２】同ネイルプリンターの内部構成の斜視図である。
【図３】同ネイルプリンターの内部構成の正面図である。
【図４】図３に示されたIV−IVに沿った面を矢印方向に見て示した断面図である。
【図５】図３に示されたV−Vに沿った面を矢印方向に見て示した断面図である。
【図６】図３に示されたVI−VIに沿った面を矢印方向に見て示した断面図である。
【発明を実施するための形態】
【０００９】
以下に、本発明を実施するための形態について、図面を用いて説明する。但し、以下に述べる実施形態には、本発明を実施するために技術的に好ましい種々の限定が付されているが、本発明の範囲を以下の実施形態及び図示例に限定するものではない。
【００１０】
図１は、ネイルプリンター１の外観斜視図である。
図１に示すように、このネイルプリンター１は筐体２、ヒンジ３、蓋体４、開閉板５、操作盤６及び表示部７を備える。
【００１１】
筐体２を平面視すると筐体２が長円状に形成され、筐体２を正面視すると筐体２が矩形状に形成されている。筐体２の上面２ａには操作盤６が設置されている。この操作盤６には、例えば、ネイルプリンター１の電源をＯＮ・ＯＦＦする電源スイッチ釦の他、各種の入力を行うための操作釦が配置されている。
【００１２】
筐体２の上面２ａの後端部には、ヒンジ３が設けられている。蓋体４がそのヒンジ３によって筐体２の上面２ａの後端部に回動可能に連結されている。蓋体４は、ヒンジ３を支点として、筐体２の上面２ａに重ねられた状態から筐体２の上面２ａに対して立てられた状態まで回動可能に設けられている。
【００１３】
蓋体４の内面には、表示部７が設けられている。表示部７は、液晶ディスプレイ、有機エレクトロルミネッセンスディスプレイその他のフラットディスプレイを有する。この表示部７には、例えば、撮影した指爪画像、その指爪画像中の爪の輪郭線、その指爪画像中の指の輪郭線、爪に印刷すべき画像及びデザイン確認用のサムネイル画像等が適宜に表示される。
【００１４】
筐体２の前面の中央部には、開口部２ｂが形成されている。開閉板５の端部が開口部２ｂの下端部に入れられて、その開閉板５の端部がヒンジによって筐体２の前面下端部に回動可能に連結されている。開閉板５は、そのヒンジを支点として、起立して開口部２ｂを塞いだ状態から前に倒伏して開口部２ｂを開いた状態まで回動可能に設けられている。
【００１５】
図２は、ネイルプリンター１の内部構造を示した斜視図である。
図２に示すように、ネイルプリンター１は装置本体１０を有し、装置本体１０が筐体２の内側に収容されて筐体２に取り付けられている。図３，図４を参照して、装置本体１０について具体的に説明する。図３は装置本体１０の正面図であり、図４は図３に示されたIV−IVに沿った断面を矢印方向に見て示した断面図である。
【００１６】
装置本体１０は上部機枠１１、印刷部２０、撮影部３０、下部機枠４０、指固定部５０、印刷保守部６０及びカートリッジ装着部７０等を備える。
【００１７】
上部機枠１１が筐体２の内側の上部に設置され、下部機枠４０が筐体２の内側の下部に設置され、上部機枠１１が下部機枠４０の上に設置されている。
【００１８】
上部機枠１１には、印刷部２０が設置されている。印刷部２０は、印刷ヘッド２１と、印刷ヘッド２１を前後左右に移動させる移動装置２２と、を有する。移動装置２２は２本の主ガイドロッド２３、主キャリッジ２４、主走査モータ２５、２本の副ガイドロッド２６、副キャリッジ２７及び副走査モータ２８を有する。インクジェットプリンタの印刷ヘッドは、インク供給流路を介してインクカートリッジに接続され、インクカートリッジからインクの供給が受けられるように構成されている。例えば、各印刷ヘッドは、黒色インクを噴射するノズルアレイと、シアン色のインクを噴射するノズルアレイと、マゼンタ色のインクを噴射するノズルアレイと、イエロー色のインクを噴射するノズルアレイとを備える。
【００１９】
上部機枠１１の左右両側板には２本の主ガイドロッド２３が平行に架設され、これら主ガイドロッド２３が左右に延びている。これら主ガイドロッド２３には主キャリッジ２４が摺動可能に設置され、主キャリッジ２４が主ガイドロッド２３によって主ガイドロッド２３に沿って案内される。主走査モータ２５が伝動機構を介して主キャリッジ２４に連結され、主走査モータ２５によって主キャリッジ２４が前後左右に駆動される。主キャリッジ２４の前部と後部には２本の副ガイドロッド２６が平行に架設され、これら副ガイドロッド２６が前後に延びている。これら副ガイドロッド２６には副キャリッジ２７が摺動可能に設置され、副キャリッジ２７が副ガイドロッド２６によって副ガイドロッド２６に沿って案内される。副走査モータ２８が伝動機構を介して副キャリッジ２７に連結され、副走査モータ２８によって副キャリッジ２７が前後に駆動される。副キャリッジ２７には、印刷ヘッド２１が搭載されている。印刷ヘッド２１は、インクを微滴化して下方に向けて吐出するインクジェットヘッドである。なお、印刷ヘッド２１がインクジェットヘッドではなく、他の印刷方式のヘッドでもよい。
【００２０】
撮影部３０は電子カメラ３１及び複数の照明灯３２を有する。電子カメラ３１及び照明灯３２は上部機枠１１の天板下面に設置され、これら照明灯３２が電子カメラ３１を囲むように配列されている。電子カメラ３１は、下方に向けて設けられており、電子カメラ３１の下方の印刷する指または印刷後の指を撮像する。照明灯３２は、下方に向けて光を照射して、電子カメラ３１の下方の撮影範囲を照明する。
【００２１】
下部機枠４０及び指固定部５０は一体に設けられている。
まず、下部機枠４０について説明する。下部機枠４０は、上面及び前面が開口した略箱形に設けられている。具体的には、下部機枠４０は、背面板４１、底板４２、左右一対の側板４３，４４及びカートリッジ収容部４５を有する。
【００２２】
側板４３，４４の下端部が底板４２の左右両端部にそれぞれ連結され、側板４３，４４が底板４２に対して立てられた状態に設けられている。背面板４１は、底板４２と側板４３，４４によって囲われた領域の後ろ側を塞ぐようにして底板４２及び側板４３，４４の後部に連結されている。背面板４１の下部の後ろ側には、前方へ窪むように形成されたカートリッジ収容部４５が形成されている。カートリッジ収容部４５内には、カートリッジ装着部７０が設けられている。カートリッジ装着部７０にはインクカートリッジ７１が装着され、インクカートリッジ７１内のインクがカートリッジ装着部７０及びホース等を介して印刷ヘッド２１に供給される。
【００２３】
図３〜図６を参照して、指固定部５０について説明する。図５は図３に示されたV−Vに沿った断面を矢印方向に見て示した断面図であり、図６は図３に示されたVI−VIに沿った断面を矢印方向に見て示した断面図である。
【００２４】
指固定部５０は隔壁５１、突出部５１ｂ、前壁部５２、指案内部５３、指受入部５４、突き当たり部５４ａ、仕切り５４ｂ，５４ｃ、天井部５４ｄ、窓５４ｆ、指退避部５５及び上部窪み５６等を有する。
【００２５】
隔壁５１は、下部機枠４０の内側の空間（背面板４１、底板４２及び側板４３によって囲われた空間）を上下に区切るようにして下部機枠４０の内側に設けられている。隔壁５１は略水平に設けられ、隔壁５１の左右両端部が側板４３，４４にそれぞれ連結され、隔壁５１の後端部が背面板４１に連結されている。下部機枠４０の内側の領域が隔壁５１によって上下に区切られることによって、隔壁５１によって隔壁５１の下側に区分けられた指退避部５５が形成され、隔壁５１によって隔壁５１の上側に区分けられた指受入部５４及び収容部４６が形成される。
【００２６】
隔壁５１の上面に印刷部２０が対向する。具体的には、印刷部２０の主ガイドロッド２３及び副ガイドロッド２６が隔壁５１の上方において隔壁５１の上面に対して略平行に設けられ、印刷ヘッド２１が移動装置２２によって隔壁５１に沿って前後左右に移動させられる。
隔壁５１の下方に形成された指退避部５５は、隔壁５１の前端部の先に向けて開口した空洞である。指退避部５５は、印刷対象となる爪の指以外の指を受け入れるものである。
【００２７】
隔壁５１の上面の前端には、前壁部５２が連結されている。前壁部５２は、隔壁５１の前端から上に延び出るようにして、隔壁５１に対して立設されている。前壁部５２の左右両端部が側板４３，４４にそれぞれ連結されている。隔壁５１の上側において、前壁部５２、背面板４１、側板４３，４４及び隔壁５１によって囲われた領域が収容部４６である。
【００２８】
前壁部５２の左右中央部には、指案内部５３が後ろに窪んだ状態に設けられている。指案内部５３は、その左右幅が後ろに向けて狭窄な窪みである。隔壁５１の一部である指載置部５１ａが指案内部５３の下側にまで延設されて、指案内部５３の底面が指載置部５１ａによって構成されている。
【００２９】
指案内部５３の奥側には、指受入部５４が形成されている。指受入部５４は、隔壁５１の前端部の先に向けて開口するとともに、上下左右及び後ろが囲われた孔である。具体的には、指受入部５４の下側が隔壁５１の一部によって区画され、指受入部５４の奥側が突当て部５４ａによって区画され、指受入部５４の左右両側がそれぞれ仕切り５４ｂ，５４ｃによって区画され、指受入部５４の上側が天井部５４ｄによって区画され、指受入部５４がこれら隔壁５１、突当て部５４ａ、仕切り部５４ｂ，５４ｃ及び天井部５４ｄによって囲われている。突当て部５４ａは、指案内部５３の奥から後ろに離れた位置において隔壁５１の上面に立設され、仕切り部５４ｂ，５４ｃは、指案内部５３の奥と突当て部５４ａとの間において左右に間隔を置いて隔壁５１の上面に立設され、仕切り部５４ｂ，５４ｃの後端が突当て部５４ａに連結され、仕切り部５４ｂ，５４ｃの前端が前壁部５２の後ろに連結され、天井部５４ｄが突当て部５４ａ及び仕切り部５４ｂ，５４ｃによって囲われた領域の上を塞いでいる。このように形成された指受入部５４は、印刷対象となる爪の指を受け入れるものである。
【００３０】
天井部５４ｄには、上下に貫通した窓５４ｆが形成されている。指受入部５４に挿入された指の爪が窓５４ｆを通じて露出される。図３及び図４に示すように、窓５４ｆの上方に電子カメラ３１及び照明灯３２が配置されている。指受入部５４に挿入された指の爪は、照明灯３２によって照明されるとともに、電子カメラ３１によって撮像される。平面視して、窓５４ｆは、移動装置２２による印刷ヘッド２１の移動範囲内にある。なお、天井部５４ｄは、隔壁５１よりも上方に配置されているとともに、移動装置２２の主キャリッジ２４及び副キャリッジ２７の下方に配置されている。
【００３１】
図４及び図５に示すように、隔壁５１の前端部には、突出部５１ｂが形成されている。突出部５１ｂの厚さは、手前側に向かうにつれて漸減し、奥側に向かうにつれて漸増するテーパー部となっていても良いし、突出部５１ｂの厚さが、隔壁５１の奥側の窪みに対して全体が厚い構造になっていても良い。突出部５１ｂは隔壁５１の左右幅方向ほぼ全体に亘って形成されており、突出部５１ｂの左右中央部が指載置部５１ａとなっている。垂直断面において、突出部５１ｂの下面は、突出部５１ｂの上面を基準として、後ろ下りに傾斜しているテーパー部となっていても良い。
【００３２】
隔壁５１の下面であって突出部５１ｂの後ろ側には、上に窪んだ状態に設けられた上部窪み５６が形成されている。上部窪み５６は指退避部５５の上の奥側に通じており、上部窪み５６と指退避部５５が一体的な空間を形成する。なお、上部窪み５６の一部又は全体が隔壁５１の上面まで貫通していてもよい。
【００３３】
収容部４６には、印刷保守部６０が収容されている。印刷保守部６０は、指受入部５４が設けられている位置と同じ高さ位置で、且つ、指退避部５５との間に隔壁５１を挟んでその指退避部５５と対向する位置に配置されている。また、平面視して、印刷保守部６０は、移動装置２２による印刷ヘッド２１の移動範囲内にある。
【００３４】
印刷保守部６０は、例えば、ヘッドクリーニング・キャップ機構６１若しくはインク廃棄部６２又はこれらの両方等から構成されている。ここで、ヘッドクリーニング・キャップ機構６１は、印刷ヘッド２１のクリーニングを行ったり、例えば印刷ヘッド２１の保湿状態を保つために印刷ヘッド２１にキャップを被せたりするものである。また、インク廃棄部６２は、例えば、印刷ヘッド２１のノズルの状態を最適に保つために、印刷ヘッド２１から吐出された余分なインクを受けるものである。なお、ここでは、ヘッドクリーニング・キャップ機構６１として記載したが、ヘッドクリーニング機構とキャップ機構とは互いに独立していてもよい。
【００３５】
以上のように構成されたネイルプリンター１の動作及び使用方法について説明する。
ユーザーが操作盤６を操作して、ネイルプリンター１を起動させるとともに、印刷図柄等を設定する。
次に、ユーザーが手の人差し指、中指、薬指、小指の何れかの指の爪を上に向けてその指を伸ばして指案内部５３及び指受入部５４に挿入するとともに、それ以外の指を指退避部５５に挿入する。指退避部５５に挿入する指は伸ばしてもよいし、曲げてもよい。ここで、指案内部５３の左右幅が後ろに向けて狭窄であるから、指を指案内部５３に挿入すると、指先が指案内部５３によって指受入部５４に案内される。指受入部５４に挿入する指の爪が窓５４ｆの下に位置するまで、その指を挿入する。
【００３６】
上述のようにユーザーが人差し指、中指、薬指、小指の何れかの指を指案内部５３及び指受入部５４に挿入し、他の指を指退避部５５に退避させると、隔壁５１が指案内部５３に挿入された指と他の指によって挟まれることになる。そのため、指案内部５３及び指受入部５４に挿入された指が安定的に固定される。また、突出部５１ｂが隔壁５１の前端部に形成されているから、指案内部５３に挿入された指と指退避部５５に挿入された指との間を広げるような無理な力がかからず、ユーザーが指をリラックスさせることができる。
【００３７】
その後、指受入部５４に挿入された指が照明灯３２によって照明された状態で、その指が電子カメラ３１によって撮像される。これにより、その指の爪の位置、大きさ及び範囲等がネイルプリンター１のコンピュータに認識される。
【００３８】
次に、指受入部５４に挿入された指の爪が印刷部２０によって印刷される。具体的には、移動装置２２が印刷ヘッド２１を前後左右に移動させながら、印刷ヘッド２１がインクを指の爪に吐出することで、指の爪に模様や図柄等の画像が印刷される。印刷ヘッド２１がインクを指の爪に吐出する際には、移動装置２２が印刷ヘッド２１の移動を停止させてもよい。また、必要に応じて、移動装置２２が印刷ヘッド２１を印刷保守部６０の上に移動させて、印刷ヘッド２１がヘッドクリーニング・キャップ機構６１によってクリーニングされたり、印刷ヘッド２１がインク廃棄部６２に向けてインクを吐出したりしてもよい。
【００３９】
印刷終了後、ユーザーが指案内部５３及び指受入部５４内の指を引き抜くとともに、指退避部５５内の指も引き抜く。次に、ユーザーが、人差し指、中指、薬指、小指のうち印刷していない指の爪を上に向けてその指を指案内部５３及び指受入部５４を挿入するとともに、それ以外の指を指退避部５５に挿入し、その指の爪の印刷が印刷部２０によって同様に行われる。
【００４０】
この際、先に印刷された爪の指を伸ばしたものとしても、その指の爪は隔壁５１に当たらず接触しない。これは、指退避部５５に挿入した指の爪に対応する部分である隔壁５１の下面の奥側が上に窪んで、上部窪み５６が形成されているためである。
【００４１】
以上のようにして、人差し指、中指、薬指及び小指の爪の印刷を順に行う。また、親指も爪を上に向けてその親指を指案内部５３及び指受入部５４に挿入し、その親指の爪の印刷が印刷部２０によって同様に行われる。親指を指案内部５３及び指受入部５４に挿入している際には、人差し指、中指、薬指及び小指を伸ばしてもよいし、これらを曲げて（爪を外にして）握り拳を作ってもよい。なお、親指、人差し指、中指、薬指、小指の印刷順序は任意である。
【００４２】
以上のようなネイルプリンター１は次のような作用効果をもたらす。
(1)  ユーザーが人差し指、中指、薬指及び小指の何れかの指（特に薬指又は小指）を伸ばして指受入部５４に挿入することができるとともに、他の指も伸ばして指退避部５５に挿入することができる。そのため、ユーザーは手の指をリラックスして指固定部５０に保持することができる。
(2)  指退避部５５に挿入した指が伸びていても、隔壁５１の下面の奥側が窪んでいて上部窪み５６が形成されているから、指退避部５５に挿入した指の爪が隔壁５１に当たらない。従って、指退避部５５に挿入した指の爪に付着したインクが乾燥していない場合でも、そのインクが隔壁５１の下面に付着しない。よって、先に印刷した爪のインクが乾燥せずとも、次の指の爪の印刷を行うことができ、作業時間の短縮を図ることができる。更に、指退避部５５に挿入した指の爪の印刷模様や印刷図柄が崩れない。
(3)  ユーザーは指受入部５４に挿入した指と指退避部５５に挿入した指との間に隔壁５１を挟むことができる。そのため、指受入部５４内の指が安定して固定される。また、隔壁５１の前部が突出部５１ｂとなっているから、指に無理な力が加わらない。
(4)  隔壁５１が指受入部５４の下のみならず、指受入部５４の周囲の下にも形成され、指受入部５４の周囲に収容部４６が形成され、印刷保守部６０が収容部４６内に設置されている。そのため、装置全体の小型化を図ることができる。
【００４３】
本発明の実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
隔壁と、
前記隔壁の一方の面側に設けられ、前記隔壁の前端部側が開口されている指受入部と、
前記隔壁の前記一方の面側に設けられた印刷部と、
前記隔壁の他方の面側に設けられ、前記隔壁の前記前端部側が開口されている指退避部と、
を備え、
前記隔壁の前記他方の面に窪みを有することを特徴とするネイルプリンター。
＜請求項２＞
前記印刷部は、前記指受入部に挿入された指の爪に印刷をし、
前記指退避部は、前記指受入部に挿入された指以外の指を受け入れるものであり、
前記窪みは、前記指退避部の奥において、前記隔壁の前記一方の面側へ窪むように設けられていることを特徴とする請求項１に記載のネイルプリンター。
＜請求項３＞
前記隔壁は、前記指退避部の手前側から奥側に向かうにつれて厚さが漸増する突出部を有し、前記窪みが前記突出部の奥側に形成されていることを特徴とする請求項１又は２に記載のネイルプリンター。
＜請求項４＞
前記指受入部が設けられている位置と同じ高さ位置で、且つ、前記指退避部の上方となる位置に配置された印刷保守部を備えることを特徴とする請求項１から３の何れか一項に記載のネイルプリンター。
【符号の説明】
【００４４】
１  ネイルプリンター
２０  印刷部
５０  指固定部
５１  隔壁
５１ｂ  突出部
５４  指受入部
５５  指退避部
５６  上部窪み（窪み）
６０  印刷保守部
【図１】
0005348214.tif 000002
【図２】
0005348214.tif 000003
【図３】
0005348214.tif 000004
【図４】
0005348214.tif 000005
【図５】
0005348214.tif 000006
【図６】
0005348214.tif 000007